(57)【要約】【課題】互いに異なる波長の光を発生する２つの光源からの光を媒体に照射し、各光による透過画像の差分画像を得ることによって、真正媒体と偽造媒体との紙質の差に基づく光の透過度を際立たせることができ、媒体の印刷パターンや汚れの影響を受けることなく、真正媒体と偽造媒体とを貼（は）り合わせた部位を特定することができ、貼（ちょう）合偽券を確実に判別することができるようにする。【解決手段】互いに異なる波長の光を媒体１３に対して照射する第１及び第２の光源と、前記第１の光源１１からの光による前記媒体１３の透過画像と前記第２の光源１２からの光による前記媒体１３の透過画像との差分画像を生成する差分画像生成部と、前記差分画像から抽出された画素値の異なる領域のエッジ部を検査して前記媒体１３が真正であるか否かを判定する検査部とを有する。【選択図】図１
2008217518.tif 000002
【特許請求の範囲】
【請求項１】
（ａ）互いに異なる波長の光を媒体に対して照射する第１及び第２の光源と、
（ｂ）前記第１の光源からの光による前記媒体の透過画像と前記第２の光源からの光による前記媒体の透過画像との差分画像を生成する差分画像生成部と、
（ｃ）前記差分画像から抽出された画素値の異なる領域のエッジ部を検査して前記媒体が真正であるか否かを判定する検査部とを有することを特徴とする媒体鑑別装置。
【請求項２】
前記第１及び第２の光源からの光の波長は、真正媒体の印刷パターンに対して同じ透過画像を得ることができるように選択される請求項１に記載の媒体鑑別装置。
【請求項３】
前記検査部は、前記エッジ部が明瞭である場合、前記画素値の異なる領域は真正媒体と偽造媒体との紙質の差による光の透過度の差に起因するものとして、前記媒体が真正でない貼合偽券であると判定する請求項１に記載の媒体鑑別装置。
【請求項４】
前記差分画像について縦方向の画素値及び横方向の画素値の平均値を求めることによって、前記画素値の異なる領域を特定して抽出する領域抽出部を更に有する請求項１に記載の媒体鑑別装置。
【請求項５】
前記検査部は、前記画素値の異なる領域のエッジ部にエッジ検査領域を設定し、該エッジ検査領域に差分フィルタを掛けて合計値を判定閾値と比較し、前記媒体が真正であるか否かを判定する請求項１に記載の媒体鑑別装置。
【発明の詳細な説明】
【技術分野】
【０００１】
本発明は、媒体鑑別装置に関するものである。
【背景技術】
【０００２】
従来、銀行、信用金庫、郵便局、消費者金融会社等の金融機関の支店等に配設されたＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）等の自動取引装置や両替機、また、商店や路上に配設された自動販売機等には、紙幣等の有価証券の真偽を判別したり、媒体の種別を判別するための媒体鑑別装置が配設されている。該媒体鑑別装置が紙幣等の媒体の真偽を判別することによって、偽造紙幣等の不正な媒体を排除することができる。そして、種々の多様な媒体の真偽を判別することができる媒体鑑別装置に関する技術が提案されている（例えば、特許文献１参照。）。
【０００３】
例えば、透かし、ホログラム、インクの光学的特性等の本物の紙幣等に特有のセキュリティ技術を読み取ることによって媒体の真偽を判別したり、光の透過率を利用してテープ等の付着物を検出するようになっている。
【特許文献１】特開平８−２２００１５号公報
【発明の開示】
【発明が解決しようとする課題】
【０００４】
しかしながら、前記従来の媒体鑑別装置においては、偽造券のすべての部分が偽物の場合であれば、本物の紙幣等の媒体に特有のセキュリティ技術を読み取ることによって排除することができるが、本物の媒体の一部を貼（は）り合わせたような変造券、すなわち、貼（ちょう）合偽券を判別することは困難である。近年では、本物の媒体の一部を切り取って部分的に偽物の券を貼り合わせた貼合偽券が増加している。しかし、前記従来の媒体鑑別装置では、紙幣等の媒体における特定の部位に設定されたセキュリティ技術を読み取って媒体の真偽を判別するので、対象となるセキュリティ技術が設定されていない部位に偽物を貼り合わされた場合、真偽を判別することができなくなってしまう。貼合偽券は、一般に、媒体のどの部分にどの程度の大きさで偽物が使われているかが分からないので、従来の媒体鑑別装置で貼合偽券を確実に判別することは困難である。
【０００５】
本発明は、前記従来の媒体鑑別装置の問題点を解決して、互いに異なる波長の光を発生する２つの光源からの光を媒体に照射し、各光による透過画像の差分画像を得ることによって、真正媒体と偽造媒体との紙質の差に基づく光の透過度を際立たせることができ、媒体の印刷パターンや汚れの影響を受けることなく、真正媒体と偽造媒体とを貼り合わせた部位を特定することができ、貼合偽券を確実に判別することができる媒体鑑別装置を提供することを目的とする。
【課題を解決するための手段】
【０００６】
そのために、本発明の媒体鑑別装置においては、互いに異なる波長の光を媒体に対して照射する第１及び第２の光源と、前記第１の光源からの光による前記媒体の透過画像と前記第２の光源からの光による前記媒体の透過画像との差分画像を生成する差分画像生成部と、前記差分画像から抽出された画素値の異なる領域のエッジ部を検査して前記媒体が真正であるか否かを判定する検査部とを有する。
【０００７】
本発明の他の媒体鑑別装置においては、さらに、前記第１及び第２の光源からの光の波長は、真正媒体の印刷パターンに対して同じ透過画像を得ることができるように選択される。
【０００８】
本発明の更に他の媒体鑑別装置においては、さらに、前記検査部は、前記エッジ部が明瞭である場合、前記画素値の異なる領域は真正媒体と偽造媒体との紙質の差による光の透過度の差に起因するものとして、前記媒体が真正でない貼合偽券であると判定する。
【０００９】
本発明の更に他の媒体鑑別装置においては、さらに、前記差分画像について縦方向の画素値及び横方向の画素値の平均値を求めることによって、前記画素値の異なる領域を特定して抽出する領域抽出部を更に有する。
【００１０】
本発明の更に他の媒体鑑別装置においては、さらに、前記検査部は、前記画素値の異なる領域のエッジ部にエッジ検査領域を設定し、該エッジ検査領域に差分フィルタを掛けて合計値を判定閾（しきい）値と比較し、前記媒体が真正であるか否かを判定する。
【発明の効果】
【００１１】
本発明によれば、媒体鑑別装置においては、互いに異なる波長の光を発生する２つの光源からの光を媒体に照射し、各光による透過画像の差分画像を得るようになっている。これにより、真正媒体と偽造媒体との紙質の差に基づく光の透過度を際立たせることができ、媒体の印刷パターンや汚れの影響を受けることなく、真正媒体と偽造媒体とを貼り合わせた部位を特定することができ、貼合偽券を確実に判別することができる。
【発明を実施するための最良の形態】
【００１２】
以下、本発明の実施の形態について図面を参照しながら詳細に説明する。
【００１３】
図２は本発明の実施の形態における媒体鑑別装置の構成を示すブロック図である。
【００１４】
図において、１０は本実施の形態における媒体鑑別装置であり、ＡＴＭ、ＣＤ等の自動取引装置、自動販売機、両替機、ゲーム機等の装置に配設され、媒体１３の真偽を判別するために使用される。ここで、該媒体１３は、例えば、紙幣であるが、ビール券、ギフト券、商品券等の金券、トラベラーズチェック、小切手、株券等の有価証券、入場券等の施設利用券、切符、帳票、カード、通帳等であってもよく、いかなる種類のものであってもよい。
【００１５】
ここでは、説明の都合上、前記媒体１３が紙幣である場合について説明する。この場合、前記媒体鑑別装置１０は、真正媒体と偽造媒体とを貼り合わせた部位を特定することによって、媒体１３が貼合偽券であるか否かを判別するものであるが、媒体１３の大きさ、形状、姿勢等を認識することができるものであってもよいし、さらに、認識した媒体１３の大きさ等に基づいて、該媒体１３の種類を判別することができるものであってもよい。例えば、該媒体１３が我が国の紙幣である場合、千円札、二千円札、五千円札及び一万円札の４種類の金種の紙幣について、種類を判別することができることが望ましい。
【００１６】
そして、前記媒体鑑別装置１０は、自動取引装置のように媒体１３としての紙幣を受領する装置における紙幣の搬送路や紙幣の取扱装置に配設され、受領した紙幣の真偽を判別する。なお、前記紙幣を受領する装置は、一般的には、銀行、信用金庫、郵便局、消費者金融会社等の金融機関の支店等の営業店や、コンビニエンスストア、スーパーマーケット等の商店の店舗に配設されているＡＴＭ、ＣＤ等の自動取引装置であるが、紙幣を受領するための装置であれば、鉄道、バス等の交通機関の券売機、飲料、タバコ等の自動販売機、両替機、ゲーム機等いかなる装置であってもよい。そして、前記紙幣を受領する装置は、前記媒体鑑別装置１０が判別した真偽に基づいて、貼合偽券等を不正な紙幣として排除する。
【００１７】
本実施の形態において、前記媒体鑑別装置１０は、ＣＰＵ、ＭＰＵ等の演算手段、磁気ディスク、半導体メモリ等の記憶手段、通信インターフェイス等を有する。さらに、前記媒体鑑別装置１０は、接客口２２、媒体検知部２３、データ取得指示部２４、第１の光源１１、第２の光源１２、受光センサ１４、ＡＤ変換部２８、画像管理部２９、差分画像生成部３０、領域抽出部としての偽券疑い領域抽出部３１、検査部としての偽券疑い領域エッジ検査部３２及び金庫３３を有する。なお、前記第１の光源１１、第２の光源１２及び受光センサ１４は画像取得装置として機能する。
【００１８】
ここで、接客口２２には、自動取引装置、券売機、自動販売機、両替機、ゲーム機等の装置を利用する顧客が紙幣としての媒体１３を投入する。そして、接客口２２に投入された媒体１３は、搬送路に沿って搬送され、媒体検知部２３によって検知される。すると、データ取得指示部２４は、第１の光源１１及び第２の光源１２に発光指示を出すとともに、受光センサ１４に指示を出してデータを取得させる。また、受光センサ１４が取得したデータは、ＡＤ変換部２８によってＡＤ変換されて数量化され、第１の光源１１から照射された光による媒体１３の透過画像と、第２の光源１２から照射された光による媒体１３の透過画像とに分離されて画像管理部２９に格納される。
【００１９】
そして、差分画像生成部３０は、第１の光源１１の画像と第２の光源１２の画像との差分画像を生成する。また、偽券疑い領域抽出部３１は、前記差分画像における貼合領域を特定し、偽券疑い領域エッジ検査部３２は、エッジの特徴値に基づいて媒体１３の真偽を判別する。そして、真正であると判定された媒体１３は金庫３３に格納され、偽造であると判定された媒体１３は接客口２２に返却される。
【００２０】
次に、前記構成の媒体鑑別装置１０の動作について説明する。まず、画像取得装置としての第１の光源１１、第２の光源１２及び受光センサ１４の動作について説明する。
【００２１】
図１は本発明の実施の形態における画像取得装置の構成を示す図、図３は本発明の実施の形態における受光センサによるデータの取得タイミングを示す図である。
【００２２】
図１に示されるように、第１の光源１１及び第２の光源１２は、図示されない搬送路を搬送される媒体１３の一方の面に対向する側（図１における上側）に配設され、受光センサ１４は、媒体１３を挟んで第１の光源１１及び第２の光源１２と反対側（図１における下側）に配設される。そして、第１の光源１１及び第２の光源１２から照射された光は、媒体１３を透過して、受光センサ１４によって受光される。これにより、第１の光源１１から照射された光による媒体１３の透過画像と、第２の光源１２から照射された光による媒体１３の透過画像とを得ることができる。
【００２３】
ここで、第１の光源１１と第２の光源１２とはタイミングをずらして交互に光を発生して照射するので、受光センサ１４が取得するデータは、図３に示されるように、互いにタイミングがずれたものとなる。なお、図３（ａ）は第１の光源１１からの光を受光することによって取得したデータを示し、図３（ｂ）は第２の光源１２からの光を受光することによって取得したデータを示している。これにより、第１の光源１１から照射された光による媒体１３の透過画像のデータと、第２の光源１２から照射された光による媒体１３の透過画像のデータとを容易に分離することができる。
【００２４】
また、第１の光源１１が発生する光の波長と第２の光源１２が発生する光の波長とは、互いに異なるものであるが、真正な媒体１３に照射した際には印刷パターンに対してほぼ同じ透過画像を得ることができる程度となるように選択される。
【００２５】
次に、差分画像生成部３０の動作について説明する。
【００２６】
図４は本発明の実施の形態における貼合偽券の例を示す図、図５は本発明の実施の形態における貼合偽券の第１の透過画像の例を示す図、図６は本発明の実施の形態における貼合偽券の第２の透過画像の例を示す図、図７は本発明の実施の形態における貼合偽券の差分画像の例を示す図である。
【００２７】
ここで、媒体１３は、図４に示されるように、真正媒体、すなわち、本物と偽造媒体、すなわち、偽物とを粘着テープ等のテープによって貼り合わせた貼合偽券であるとする。図４に示される例においては、偽物の部分の両側に本物の部分が接続されている。
【００２８】
そして、図５に示される１５−１は、第１の光源１１から照射された光による媒体１３の第１の透過画像であり、図６に示される１５−２は、第２の光源１２から照射された光による媒体１３の第２の透過画像である。なお、前記第１の透過画像１５−１及び第２の透過画像１５−２は、ＡＤ変換部２８によってＡＤ変換されたデジタル画像であり、媒体１３の印刷パターンを含んでいる。また、前記第１の透過画像１５−１における１５ａ及び第２の透過画像１５−２における１５ｂは、図４に示されるような媒体１３における偽物の部分に対応する部分である。
【００２９】
続いて、差分画像生成部３０が２つのデジタル画像である第１の透過画像１５−１及び第２の透過画像１５−２の差分画像１６を形成する。該差分画像１６は、第１の透過画像１５−１及び第２の透過画像１５−２のいずれか一方における各画素の画素値から他方における各画素の画素値を減算して得られたものである。そして、前記差分画像１６においては、図７に示されるように、印刷パターンが相殺される。これは、前述のように、ほぼ同じ画像を得ることができる波長の光が第１の光源１１及び第２の光源１２から照射されるためである。
【００３０】
そして、媒体１３における偽物の部分と本物の部分とでは、透過光量に差が生じるので、偽物の部分に対応する偽券疑い領域１６ａが出現する。該偽券疑い領域１６ａは、媒体１３における貼り合わせ部分の特徴を示している。本実施の形態における媒体鑑別装置１０は、このような性質を利用して、貼合偽券を判別する。
【００３１】
次に、偽券疑い領域抽出部３１の動作について説明する。
【００３２】
図８は本発明の実施の形態における縦方向短冊貼り貼合偽券の差分画像の例を示す図、図９は本発明の実施の形態における縦方向短冊貼り貼合偽券の縦方向の画素値の平均を示す図、図１０は本発明の実施の形態における縦方向短冊貼り貼合偽券の横方向の画素値の平均を示す図、図１１は本発明の実施の形態における横方向短冊貼り貼合偽券の差分画像の例を示す図、図１２は本発明の実施の形態における横方向短冊貼り貼合偽券の縦方向の画素値の平均を示す図、図１３は本発明の実施の形態における横方向短冊貼り貼合偽券の横方向の画素値の平均を示す図である。
【００３３】
貼合偽券である媒体１３は、図４に示されるように、本物の部分と偽物の部分との継ぎ目が媒体１３の短手方向、すなわち、縦方向に延在する縦方向短冊貼り貼合偽券である場合と、本物の部分と偽物の部分との継ぎ目が媒体１３の長手方向、すなわち、横方向に延在する横方向短冊貼り貼合偽券である場合とに大別することができる。
【００３４】
ここで、媒体１３が縦方向短冊貼り貼合偽券である場合、その差分画像１６は、図８に示されるようになる。そして、該差分画像１６において、縦方向に画素値の平均値を算出する、すなわち、採ると、その横方向の分布は、図９に示されるようになる。この場合、偽券疑い領域１６ａに対応して画素値が他の部分と異なり、低くなっていることが分かる。そして、偽券疑い領域抽出部３１は、あらかじめ設定された閾値よりも画素値が低い領域を偽物の疑いがある領域、すなわち、偽券疑い領域１６ａとして特定して抽出する。
【００３５】
また、差分画像１６において、横方向に画素値の平均値を算出する、すなわち、採ると、その縦方向の分布は、図１０に示されるようになる。媒体１３が縦方向短冊貼り貼合偽券である場合には、横方向に画素値の平均値を採っても、偽券疑い領域１６ａに対応して画素値が低くなっている領域が出現しないことが分かる。
【００３６】
一方、媒体１３が横方向短冊貼り貼合偽券である場合、その差分画像１６は、図１１に示されるようになる。そして、該差分画像１６において、縦方向に画素値の平均値を採ると、その横方向の分布は、図１２に示されるようになる。媒体１３が横方向短冊貼り貼合偽券である場合には、縦方向に画素値の平均値を採っても、偽券疑い領域１６ａに対応して画素値が低くなっている領域が出現しないことが分かる。
【００３７】
また、差分画像１６において、横方向に画素値の平均値を採ると、その縦方向の分布は、図１３に示されるようになる。この場合、偽券疑い領域１６ａに対応して画素値が他の部分と異なり、低くなっていることが分かる。そして、偽券疑い領域抽出部３１は、あらかじめ設定された閾値よりも画素値が低い領域を偽物の疑いがある領域、すなわち、偽券疑い領域１６ａとして特定して抽出する。
【００３８】
次に、偽券疑い領域エッジ検査部３２の動作について説明する。
【００３９】
図１４は本発明の実施の形態における縦方向短冊貼り貼合偽券のエッジ検査領域の例を示す図、図１５は本発明の実施の形態における水平方向Ｓｏｂｅｌフィルタの例を示す図、図１６は本発明の実施の形態における横方向短冊貼り貼合偽券のエッジ検査領域の例を示す図、図１７は本発明の実施の形態における垂直方向Ｓｏｂｅｌフィルタの例を示す図である。
【００４０】
偽券疑い領域エッジ検査部３２は、前記偽券疑い領域抽出部３１が特定して抽出した偽券疑い領域１６ａについてエッジ検査領域を設定し、該エッジ検査領域に差分フィルタを掛けて貼合部の特徴値を算出する。この場合、偽券疑い領域エッジ検査部３２は、デジタル画像のエッジ検出のために使用される差分フィルタをエッジ検査領域に掛けて偽券疑い領域１６ａのエッジ部を検出する。
【００４１】
なお、前記差分フィルタは、例えば、Ｓｏｂｅｌ（ゾーベル）フィルタ、Ｐｒｅｗｉｔｔ（プレビット）フィルタ等のように差分演算を行うことによって差分を検出するものであれば、いかなる種類のものであってもよいが、ここでは、Ｓｏｂｅｌフィルタを使用した例について説明する。
【００４２】
そして、特徴値があらかじめ設定された判定閾値以上であれば、偽券疑い領域１６ａのエッジ部が明瞭であり、前記偽券疑い領域１６ａは媒体１３に偽物の部分が含まれることによって生じたもの、すなわち、真正媒体と偽造媒体との紙質の差による光の透過度の差に起因するものであると判断することができるので、偽券疑い領域エッジ検査部３２は、媒体１３が貼合偽券であると判定する。また、特徴値があらかじめ設定された判定閾値未満であれば、偽券疑い領域１６ａのエッジ部が不明瞭であり、前記偽券疑い領域１６ａは媒体１３に偽物の部分が含まれることによって生じたものであると判断することができないので、偽券疑い領域エッジ検査部３２は、媒体１３は貼合偽券でないと判定する。
【００４３】
ここで、媒体１３が縦方向短冊貼り貼合偽券である場合、偽券疑い領域１６ａが縦方向に延在するので、図１４に示されるような縦方向エッジ検査領域１７ａが設定される。該縦方向エッジ検査領域１７ａは、偽券疑い領域１６ａの左右両側における縦方向に延在する辺、すなわち、エッジ部をそれぞれ囲むように設定された縦方向に細長い長方形の領域である。
【００４４】
そして、偽券疑い領域エッジ検査部３２は、図１５に示されるような水平方向Ｓｏｂｅｌフィルタ１８ａを縦方向エッジ検査領域１７ａに含まれる画素に掛け、その値を合計する。この場合、ある注目画素を中心とした上下左右の９つの画素の画素値に対して、水平方向Ｓｏｂｅｌフィルタ１８ａの９つの係数を各々乗算して結果を合計する。そして、合計値を縦方向エッジ検査領域１７ａの特徴値とする。なお、水平方向Ｓｏｂｅｌフィルタ１８ａにおける１９ａが注目画素に乗算される係数である。
【００４５】
一方、媒体１３が横方向短冊貼り貼合偽券である場合、偽券疑い領域１６ａが横方向に延在するので、図１６に示されるような横方向エッジ検査領域１７ｂが設定される。該横方向エッジ検査領域１７ｂは、偽券疑い領域１６ａの上下両側における横方向に延在する辺、すなわち、エッジ部をそれぞれ囲むように設定された横方向に細長い長方形の領域である。
【００４６】
そして、偽券疑い領域エッジ検査部３２は、図１７に示されるような垂直方向Ｓｏｂｅｌフィルタ１８ｂを横方向エッジ検査領域１７ｂに含まれる画素に掛け、その値を合計する。この場合、ある注目画素を中心とした上下左右の９つの画素の画素値に対して、垂直方向Ｓｏｂｅｌフィルタ１８ｂの９つの係数を各々乗算して結果を合計する。そして、合計値を横方向エッジ検査領域１７ｂの特徴値とする。なお、垂直方向Ｓｏｂｅｌフィルタ１８ｂにおける１９ｂが注目画素に乗算される係数である。
【００４７】
次に、媒体鑑別装置１０全体の動作について説明する。
【００４８】
図１８は本発明の実施の形態における紙幣鑑別装置の動作を示すフローチャートである。
【００４９】
まず、媒体鑑別装置１０は、媒体１３が投入されたか否かの判断を繰り返して待機し、接客口２２に投入された媒体１３を媒体検知部２３が検知すると、媒体１３が投入されたと判断し、第１の透過画像１５−１及び第２の透過画像１５−２を取得する。この場合、第１の透過画像１５−１は、第１の光源１１から照射された光が媒体１３を透過して受光センサ１４によって受光されて得られた画像であり、第２の透過画像１５−２は、第２の光源１２から照射された光が媒体１３を透過して受光センサ１４によって受光されて得られた画像である。また、第１の透過画像１５−１及び第２の透過画像１５−２は、ＡＤ変換部２８によってＡＤ変換されたデジタル画像であり、画像管理部２９に格納される。
【００５０】
そして、差分画像生成部３０は、第１の透過画像１５−１と第２の透過画像１５−２との差分画像１６を作成する。
【００５１】
続いて、偽券疑い領域抽出部３１は、前記差分画像１６における縦方向及び横方向の平均画素値を算出する。そして、閾値よりも画素値が低い領域を偽券疑い領域１６ａとして特定して抽出する。
【００５２】
続いて、偽券疑い領域エッジ検査部３２は、前記偽券疑い領域１６ａについてエッジ検査領域を設定する。そして、該エッジ検査領域にＳｏｂｅｌフィルタを掛け、その値を合計し、合計値を特徴値とする。
【００５３】
続いて、前記偽券疑い領域エッジ検査部３２は、前記特徴値があらかじめ設定された判定閾値以上であるか否かを判断する。そして、判定閾値以上である場合、偽券疑い領域エッジ検査部３２は、前記媒体１３が貼合偽券であると判定し、当該媒体１３を接客口２２に返却する。また、判定閾値未満である場合、偽券疑い領域エッジ検査部３２は、前記媒体１３が真正であると判定し、当該媒体１３を金庫３３に格納する。
【００５４】
次に、フローチャートについて説明する。
ステップＳ１  媒体１３が投入されたか否かの判断を繰り返して待機し、媒体１３が投入された場合はステップＳ２に進む。
ステップＳ２  第１の透過画像１５−１及び第２の透過画像１５−２を取得する。
ステップＳ３  差分画像１６を作成する。
ステップＳ４  縦方向及び横方向の平均画素値を算出する。
ステップＳ５  偽券疑い領域１６ａを特定する。
ステップＳ６  エッジ検査領域を設定する。
ステップＳ７  エッジ検査領域にＳｏｂｅｌフィルタを掛け、その値を合計する。
ステップＳ８  判定閾値以上であるか否かを判断する。判定閾値以上である場合はステップＳ９に進み、判定閾値未満である場合はステップＳ１０に進む。
ステップＳ９  媒体１３を接客口２２に返却し、処理を終了する。
ステップＳ１０  媒体１３を金庫３３に格納し、処理を終了する。
【００５５】
このように、本実施の形態においては、互いに波長の異なる第１の光源１１及び第２の光源１２からの光による第１の透過画像１５−１及び第２の透過画像１５−２を取得することによって、真正媒体と偽造媒体との紙質の差を検出することができる。
【００５６】
また、第１の透過画像１５−１と第２の透過画像１５−２との差分画像１６を作成することによって、媒体１３の印刷パターンを相殺することができる。さらに、しわや汚れについてもある程度相殺することができる。
【００５７】
さらに、差分画像１６について、縦方向の画素値及び横方向の画素値の平均値を求めることによって、偽券疑い領域１６ａを特定することができる。
【００５８】
さらに、差分画像１６の偽券疑い領域１６ａにエッジ検査領域を設定して差分フィルタを掛け、その合計値を判別することによって、短冊貼り貼合偽券を判別することができ、これにより、媒体１３を適切に鑑別することができる。
【００５９】
なお、本発明は前記各実施の形態に限定されるものではなく、本発明の趣旨に基づいて種々変形させることが可能であり、それらを本発明の範囲から排除するものではない。
【図面の簡単な説明】
【００６０】
【図１】本発明の実施の形態における画像取得装置の構成を示す図である。
【図２】本発明の実施の形態における媒体鑑別装置の構成を示すブロック図である。
【図３】本発明の実施の形態における受光センサによるデータの取得タイミングを示す図である。
【図４】本発明の実施の形態における貼合偽券の例を示す図である。
【図５】本発明の実施の形態における貼合偽券の第１の透過画像の例を示す図である。
【図６】本発明の実施の形態における貼合偽券の第２の透過画像の例を示す図である。
【図７】本発明の実施の形態における貼合偽券の差分画像の例を示す図である。
【図８】本発明の実施の形態における縦方向短冊貼り貼合偽券の差分画像の例を示す図である。
【図９】本発明の実施の形態における縦方向短冊貼り貼合偽券の縦方向の画素値の平均を示す図である。
【図１０】本発明の実施の形態における縦方向短冊貼り貼合偽券の横方向の画素値の平均を示す図である。
【図１１】本発明の実施の形態における横方向短冊貼り貼合偽券の差分画像の例を示す図である。
【図１２】本発明の実施の形態における横方向短冊貼り貼合偽券の縦方向の画素値の平均を示す図である。
【図１３】本発明の実施の形態における横方向短冊貼り貼合偽券の横方向の画素値の平均を示す図である。
【図１４】本発明の実施の形態における縦方向短冊貼り貼合偽券のエッジ検査領域の例を示す図である。
【図１５】本発明の実施の形態における水平方向Ｓｏｂｅｌフィルタの例を示す図である。
【図１６】本発明の実施の形態における横方向短冊貼り貼合偽券のエッジ検査領域の例を示す図である。
【図１７】本発明の実施の形態における垂直方向Ｓｏｂｅｌフィルタの例を示す図である。
【図１８】本発明の実施の形態における紙幣鑑別装置の動作を示すフローチャートである。
【符号の説明】
【００６１】
１０    媒体鑑別装置
１１    第１の光源
１２    第２の光源
１３    媒体
１５−１    第１の透過画像
１５−２    第２の透過画像
１６    差分画像
１７ａ    縦方向エッジ検査領域
１７ｂ    横方向エッジ検査領域
３０    差分画像生成部
３１    偽券疑い領域抽出部
３２    偽券疑い領域エッジ検査部
【図１】
2008217518.tif 000003
【図２】
2008217518.tif 000004
【図３】
2008217518.tif 000005
【図４】
2008217518.tif 000006
【図５】
2008217518.tif 000007
【図６】
2008217518.tif 000008
【図７】
2008217518.tif 000009
【図８】
2008217518.tif 000010
【図９】
2008217518.tif 000011
【図１０】
2008217518.tif 000012
【図１１】
2008217518.tif 000013
【図１２】
2008217518.tif 000014
【図１３】
2008217518.tif 000015
【図１４】
2008217518.tif 000016
【図１５】
2008217518.tif 000017
【図１６】
2008217518.tif 000018
【図１７】
2008217518.tif 000019
【図１８】
2008217518.tif 000020